(57)【要約】【課題】  解決しようとする問題点は、催涙スプレーを収納する構成では取っ手の加工にコストがかかり、また、催涙スプレーの取扱いに不安があって護身用盾が普及する妨げとなっていた点であり、催涙スプレーの操作性を維持したまま、催涙スプレーを誤って噴射してしまうことを防いで盾の取扱性を向上するとともに護身用盾のコストを低く抑えることを目的とする。【解決手段】  取っ手を備えた板状の盾本体の裏面にスプレー缶を縦向きに固定して、このスプレー缶の噴射ノズルの先端を前記盾本体の裏面から表面に向かわせ、前記盾本体又はスプレー缶を固定するスプレー取付ホルダにレバー部材を上下に回動可能に取付け、これの一端を前記スプレー缶の噴射ボタンの上方に臨ませる一方、他端を取っ手の把持位置近傍に臨ませて操作部とし、取っ手を握ったときこのレバー部材の操作部を親指で操作してスプレー缶の噴射スイッチを押圧してなる護身用盾を提供する。【選択図】図１
2006207898.tif 000002
【特許請求の範囲】
【請求項１】
板状の盾本体の裏側に取っ手及びスプレー取付ホルダを設け、このスプレー取付ホルダに噴射ボタンを上向きにした状態でスプレー缶を取付け、
このスプレー缶の噴射ノズルを延長してその先端を前記盾本体の表面に開口し、
そして上下に回動自在なレバー部材を設け、その一端を前記噴射ボタンの上方に臨ませると共に、他端を取っ手の近傍に配置し、
さらに前記レバー部材の下方への回動を規制する安全具を設けることを特徴とする護身用盾。
【請求項２】
前記安全装置が、レバー部材の真上に臨んだ位置に上方にのみ回動する板部材を設けたものであることを特徴とする請求項１記載の護身用盾。
【請求項３】
前記安全装置が、盾本体に板バネの一端を取付け、自由端をレバー部材の下面に当接してレバー部材の下方への回動を規制すると共に、
前記自由端を盾方向に押込んでレバー部材の下面から取外し可能にし、
さらに、前記自由端の押込み操作する部分を取っ手の近傍に配置するものであることを特徴とする請求項１記載の護身用盾。
【請求項４】
前記安全装置が、棒部材を上下方向に摺動可能に取付けて、その上端をレバー部材の下方に臨ませ、棒部材の下端は、盾本体を自立状態で支持したときに押上げられて、前記上端をレバー部材に当接してレバー部材の下方への回動を規制するものであることを特徴とする請求項１記載の護身用盾。
【発明の詳細な説明】
【技術分野】
【０００１】
本発明は、小売店の店頭や家庭の玄関に備え付けておき、暴漢等の攻撃から身を守るとともに暴漢を撃退する催涙スプレーなどの対人撃退用スプレーを備えた小型の護身用盾に関する。
【背景技術】
【０００２】
近年、犯罪が多発し、凶悪な犯罪が増えるにつれて防犯意識が高まってきており、自己防衛を図るための防犯用具の需要が高まっている。小売店や各家庭などにおいても、店頭や玄関などに備え付けておける小型の護身用盾が用いられるようになり、犯人を撃退するなど犯罪被害を未然に防ぐ効果を挙げている。これらの護身用盾は、周囲に危険を報せるためのアラーム機能や、暴漢を怯ませたり撃退するための催涙スプレー噴射機能等が取付けられているものが一般的である。
【０００３】
催涙スプレーを備えた盾については、本発明者がすでに発明している（特許文献１）。ここに記載の盾は、催涙スプレーを取っ手の内部に収納する一方、噴射ノズルは取っ手の外部に位置させる構成となっており、催涙スプレーの操作部が取っ手部にあるため操作しやすく、緊急時には迅速且つ確実に催涙スプレーを噴射できるとともに、催涙スプレーを直立状態で取り付け可能で催涙ガスを残さず使い切ることができ、さらにノズルは取っ手の外部にあるため催涙スプレーの取付けや交換が簡易に行なえるものであった。
【０００４】
しかし、上記のような構成では催涙スプレーの誤操作等を防ぐための機構がないため誤って催涙スプレーを噴射してしまうおそれがあった。また、取っ手に催涙スプレーを収納する構成のため特殊な加工が必要となって既製の取っ手を用いることができず、護身用盾のコストが高くなってしまい、広く一般に普及する妨げとなっていた。
【特許文献１】特開２００４−７７０２６号公報
【発明の開示】
【発明が解決しようとする課題】
【０００５】
解決しようとする問題点は、催涙スプレーの誤射等を防ぐ機構がなく取扱いに不安があり、また、催涙スプレーを取っ手に収納する構成のため取っ手の加工にコストがかかり護身用盾が普及する妨げとなっていた点であり、催涙スプレーの操作性を維持したまま、催涙スプレーを誤って噴射してしまうことを防いで盾の取扱性を向上するとともに護身用盾のコストを低く抑えることを目的とする。
【課題を解決するための手段】
【０００６】
上記課題を解決するために、請求項１記載のごとく、板状の盾本体の裏側に取っ手及びスプレー取付ホルダを設け、このスプレー取付ホルダに噴射ボタンを上向きにした状態でスプレー缶を取付け、このスプレー缶の噴射ノズルを延長してその先端を前記盾本体の表面に開口し、そして上下に回動自在なレバー部材を設け、その一端を前記噴射ボタンの上方に臨ませると共に、他端を取っ手の近傍に配置し、さらに前記レバー部材の下方への回動を規制する安全具を設けた。
【０００７】
請求項２記載の発明は、前記安全装置が、レバー部材の真上に臨んだ位置に上方にのみ回動する板部材を設けたものであることを特徴とする。
【０００８】
請求項３記載の発明は、前記安全装置が、盾本体に板バネの一端を取付け、自由端をレバー部材の下面に当接してレバー部材の下方への回動を規制すると共に、前記自由端を盾方向に押込んでレバー部材の下面から取外し可能にし、さらに、前記自由端の押込み操作する部分を取っ手の近傍に配置するものであることを特徴とする。
【０００９】
請求項４記載の発明は、前記安全装置が、棒部材を上下方向に摺動可能に取付けて、その上端をレバー部材の下方に臨ませ、棒部材の下端は、盾本体を自立状態で支持したときに押上げられて、前記上端をレバー部材に当接してレバー部材の下方への回動を規制するものであることを特徴とする。
【発明の効果】
【００１０】
請求項１記載のごとく、スプレー缶をスプレー取付ホルダによって盾本体に固定し、レバー部材を上下に回動自在に取付けて一端をスプレー缶の噴射ボタンの上方に臨ませる一方、他端を取っ手の上部近傍に臨ませ、さらに、このレバー部材の下方への回動を規制する安全装置を設けたことにより、簡便にスプレーの装脱や操作が行えるとともに誤ってスプレーを噴射することを防ぎ、さらに取っ手には特別な加工を施す必要がなくコストの安い護身用盾を提供できる。
【００１１】
請求項２記載のごとく、レバー部材の直上に臨む位置に上方にのみ回動する板部材を設けたことにより、盾本体を把持したときに誤って操作部を押下してスプレー缶の噴射スイッチを押してしまうおそれがない。
【００１２】
請求項３記載のごとく、盾本体に一端を取付けた板バネの自由端側をレバー部材の下面に当接させるとともに前記自由端を盾方向に押込んでレバー部材の下面から取外し可能にし、さらに、前記自由端の押込み操作部を取っ手の近傍に配置したことにより、通常時に誤って操作部を押下してスプレー缶の噴射スイッチを押してしまうことを防ぐとともに、板バネの自由端側を盾の方向に押込んで操作部の下面から外してレバー部材を操作するという動作を一連の動作として行なうことができ、緊急時には暴漢等に即座に対応することができる。
【００１３】
請求項４記載のごとく、棒部材を上下方向に摺動可能に取付けて、その上端をレバー部材の下方に臨ませ、その下端をテーブル平面や盾本体を自立状態で支持する支持具などに当接して押上げることで前記上端をレバー部材の下面に当接したことにより、通常時には不意にスプレーが噴射されることを防ぐとともに、緊急時には盾本体を持上げるだけでスプレーが噴射可能となり、暴漢等に即座に対応することができる。
【発明を実施するための最良の形態】
【００１４】
以下、図面を参照して本発明の詳細について述べる。図１は本発明に係る護身用盾の一実施形態の裏面斜視図である。
【００１５】
本実施形態における護身用盾１は、盾本体２と、盾本体２に取付けた左右一対の取っ手３と、スプレー缶１０を装着して盾本体２に固定するスプレー取付ホルダ４と、スプレー取付ホルダ４にヒンジ１４を介して上下に回動自在に取付けられたレバー部材１３ａと、レバー部材１３ａの下方への回動を規制する安全装置２０ａとにより構成される。
【００１６】
盾本体２は、ポリカーボネートなどの耐衝撃性部材により形成するとよい。盾本体２をポリカーボネートにより形成した場合、５ｍｍ程度の厚さに形成した盾本体２は防刃性を備え、さらに８ｍｍ程度の厚さに形成したものは防弾性を有するなど、軽量で優れた耐衝撃性を示す。
【００１７】
また、盾本体２の上部には厚さ方向に噴射孔７を設け、後述するスプレー缶１０の噴射ノズル１２を接続する。
【００１８】
盾本体２の裏側下部にガイド５を取付けて盾本体２との間に差込口１７を形成する。この差込口１７に側面視略Ｌ字型の支持具６の先端を差込んで装着し、盾本体２を机台上に自立状態で支持する。さらに、ガイド５には警報器８を取付け、支持具６にはマグネットセンサ９を設け、警報器８はマグネットセンサ９との距離が離れたことを感知して鳴動するように変位センサ（図示せず）と接続する。
【００１９】
以下、図２を参照してスプレー噴射機構について説明する。図２は本発明に係るスプレー噴射機構を示す護身用盾の裏面図である。
【００２０】
スプレー取付ホルダ４は角筒状で、盾本体２の裏面に取付けられる。このスプレー取付ホルダ４にスプレー缶１０を差込んで直立姿勢で固定し、噴射ノズル１２を噴射孔７に接続する。
本実施形態において、スプレー缶１０は図３に示すように係合片１８を備えており、これをスプレー取付ホルダ４の係合溝１９に係合してスプレー缶１０が回転しないように固定している。
【００２１】
スプレー取付ホルダ４はその一側辺が上方に延設されており、その端辺にレバー部材１３ａの一端辺をヒンジ１４を介して取付けて上下に回動自在に構成する。レバー部材１３ａの取付端側に下方に向かって押圧突起１５を設けて、これの先端をスプレー缶１０の噴射スイッチ１１に当接させるとともに、レバー部材１３ａの自由端側は取っ手３の把持位置の上部近傍に臨ませて操作部１６を形成する。
【００２２】
安全装置２０ａは、盾本体２に上下に摺動可能に取付けられた棒部材２１により構成されている。棒部材２１は、取付金具２２によって盾本体２に取付けて摺動自在に構成され、その両端をそれぞれＬ字型に折曲げて、上端側はレバー部材１３ａの下方に位置させるとともに下端側はガイド５によって形成した差込口１７に挿通されており、盾本体２を支持具６によって自立状態に支持したとき、支持具６の先端によって棒部材２１の下端が押上げられてその上端がレバー部材１３ａに当接し、レバー部材１３ａが下方に回動しないように規制する。
棒部材２１は、取付金具２２を用いてスプレー取付ホルダ４に取付けて摺動自在に構成してもよい。
【００２３】
次に、本実施形態の護身用盾１のスプレーの取扱方法について説明する。
スプレーを噴射する時は、盾本体２を持上げて支持具６から取外すと、棒部材２１が下垂してレバー部材１３ａの規制が解除され、レバー部材１３ａの操作部１６を押下することで押圧突起１５によりスプレー缶１０の噴射スイッチ１１を押してスプレーを噴射することができる。
また、スプレーを装脱するときは、レバー部材１３ａを上方に回動して、スプレー取付ホルダ４からスプレー缶１０を装脱する。
【００２４】
上記のごとく構成した護身用盾１は以下のような効果を奏する。
【００２５】
スプレー缶１０は、筒状のスプレー取付ホルダ４によって盾本体２に取付けられており、簡易な構成でスプレー缶１０を取付けることができて取っ手３に特別な加工を施す必要がないため、量産された一般的で安価な取っ手を用いることができて護身用盾１のコストを低く抑えることができる。
【００２６】
スプレー取付ホルダ４に取付けられ、一端を取っ手３の近傍に臨ませたレバー部材１３ａによってスプレー缶１０の噴射スイッチ１１を押圧する機構であるため、噴射動作も簡易な操作で行なうことができる。スプレー取付ホルダ４は筒状体で、レバー部材１３ａを上方に回動させてスプレー缶１０を嵌込むだけで装脱することができるため、スプレー缶１０の装着や交換等の取扱も容易であり、一般に流通している携帯用の小型の催涙スプレーを利用することができる。
【００２７】
盾本体２を支持具６によって自立状態に支持しているときは、棒部材２１によってレバー部材１３ａの下方への回動を規制する一方、盾本体２を持上げて支持具６から取外すと棒部材２１が下垂してレバー部材１３ａの規制は解除されるため、通常時には不意にスプレーが噴射されることを防ぐとともに、緊急時には盾本体２を持上げるだけでスプレーが噴射可能な状態となり、暴漢等に即座に対応することができる。
【００２８】
また、ガイド５に警報器８を設けるとともに支持具６にマグネットセンサ９を設けており、盾本体２を持上げて支持具６から取外すと警報機８がマグネットセンサ９の離反を感知して鳴動するため、緊急時に即座に周囲に危険を報せることができる。
【００２９】
また、噴射孔７は盾本体２の上部の隅に設けられているため、噴射孔７が邪魔になることなく盾本体２の表側を鏡面状に加工したり、チラシ等の広告を盾本体２と透明プレートとの間に挟み込んでボルトで留めたり、鏡面加工したプレートをボルトで留めて一体型のスタンドパネルやミラーパネルに形成することができる。
【００３０】
本実施形態における護身用盾１は、盾本体２に左右一対の取っ手３を備えており、スプレー取付ホルダ４は盾本体２の裏側略中央に設けられているが、取っ手３を盾本体２の中央部に一つだけ設ける構成としてもよく、この場合にはスプレー取付ホルダ４は取っ手３の左右いずれかに設けられる。
【００３１】
スプレー缶１０の固定方法は上記した係合片１８と係合溝１９によるものに限られず、例えばスプレー取付ホルダ４にねじ穴を設けて、これに螺合したねじの先端で押圧してスプレー缶１０を固定してもよい。
【００３２】
以下、スプレー噴射機構の別の実施形態について図４を参照して説明する。図４はスプレー噴射機構の別の実施形態を示す裏側面斜視図である。
【００３３】
スプレー取付ホルダ４は円筒状で盾本体２の裏面に取付けられている。この収納部にスプレー缶１０を嵌込んで直立姿勢で固定する。噴射ノズル１２は盾本体２の上部に設けられた噴射孔７に接続される。
【００３４】
レバー部材１３ｂは盾本体２に取付けられ、ヒンジ１４によって上下に回動自在に構成されている。レバー部材１３ｂの一端を取っ手３の把持位置の上部近傍にまで延設して操作部１６を形成し、他端には下方に向かって押圧突起１５を設けて、これの先端をスプレー缶１０の噴射スイッチ１１に当接させる。
【００３５】
本実施形態においては、レバー部材１３ｂをスプレー取付ホルダ４の図示右方に取付け、前記操作部１６は一対の取っ手３の片方にのみ設けたが、レバー部材１３ｂをスプレー取付ホルダ４の図示左方にも設けて、一対の取っ手３のそれぞれが操作部１６を有する構成としてもよく、その場合、使用者の利き手にかかわらず誰にでも使用しやすい護身用盾１が得られる。
【００３６】
以下、安全装置の第２の実施形態について図５を参照して説明する。図５は安全装置の第２の実施形態を示す護身用盾１の裏面図である。
【００３７】
本実施形態において、安全装置２０ｂは、棒部材２１を取付金具２２によって盾本体２に取付けて上下に摺動自在とし、その下端をテーブルなどの机台上面に当接させて構成される。棒部材２１の上端はレバー部材１３ａの下方に位置し、盾本体２を自立させたとき、机台上面によって棒部材２１の下端を押上げてその上端をレバー部材１３ａの下面に当接させ、レバー部材１３ａが下方に回動しないように規制する。
【００３８】
上記のごとく構成した護身用盾１は以下のような効果を奏する。
【００３９】
棒部材２１の下端をテーブルなどの机台上面に当接させる構成であるため、盾本体２の支持方法がガイド５に支持具６を装着する構成に限られず、壁面等に立てかけておくこともできる。
【００４０】
以下、安全装置の第３の実施形態について図６乃至図７を参照して説明する。図６は安全装置の第３の実施形態を示す裏面図である。
【００４１】
本実施形態において、安全装置２０ｃは、回動自在に取付けられる板部材２３と、板部材２３の下方への回動を規制するリミッタ２５とにより構成される。板部材２３は、ヒンジ２４を介して盾本体２に回動自在に取付けられる一方、ヒンジ２４に取付けられたリミッタ２５によって下方への回動を規制されるとともにレバー部材１３ａの操作部１６の直上に臨ませる。
【００４２】
次に、本実施形態の安全装置２０ｃを備えた護身用盾１のスプレーの取扱方法について図７を参照して説明する。図７は図６のＡ矢視図である。
【００４３】
スプレーを噴射する時は、まず板部材２３を親指で持上げ、その後レバー部材１３ａの操作部１６を押下する。
また、スプレーを装脱するときは、板部材２３を持上げた後、レバー部材１３ａを上方に回動して、スプレー取付ホルダ４にスプレー缶１０を装脱する。
【００４４】
上記のごとく構成した護身用盾１は以下のような効果を奏する。
【００４５】
盾本体２を支持位置から持上げただけでは安全装置２０ｃは解除されないため、盾本体２の設置場所を変えるなどで盾本体２を持運ぶときに誤ってスプレーを噴射してしまうことがない一方、緊急時には板部材２３を押上げるだけでスプレーを噴射可能な状態となり、暴漢等に即座に対応することができる。
【００４６】
以下、安全装置の第４の実施形態について図８乃至図９を参照して説明する。図８は安全装置の第４の実施形態を示す図である。
【００４７】
本実施形態において、安全装置２０ｄは、回動自在に取付けられる板部材２３と、板部材２３の下方への回動を規制するリミッタ２５とにより構成される。板部材２３には、レバー部材１３ａの操作部１６の直上となる位置に切欠き２６が設けられている。
【００４８】
次に、本実施形態の安全装置２０ｄを備えた護身用盾１のスプレーの取扱方法について図９を参照して説明する。図９は図８のＢ矢視図である。
【００４９】
スプレーを噴射する時は、まず板部材２３を親指で持上げた後、レバー部材１３ａの操作部１６を押下するか、または板部材２３に設けた切欠き２６の部分から操作部１６を押下する。また、スプレーを装脱するときは、板部材２３を持上げた後、レバー部材１３ａを上方に回動して、スプレー取付ホルダ４にスプレー缶１０を装脱する。
【００５０】
上記のごとく構成した護身用盾１は以下のような効果を奏する。
【００５１】
盾本体２を支持位置から持上げただけでは安全装置２０ｄは解除されず、レバー部材１３ａのほぼ全面が板部材２３によって覆われているため、盾本体２の設置場所を変えるなどで盾本体２を持運ぶときに誤ってスプレーを噴射してしまうことを防ぐ一方、緊急時には板部材２３の切欠き２６の部分からスプレーを噴射可能であり、暴漢等に即座に対応することができる。
【００５２】
以下、安全装置の第５の実施形態について図面を参照して説明する。図１０は安全装置の第５の実施形態を示す図である。
【００５３】
本実施形態において、安全装置２０ｅは板バネ２７によって構成される。この板バネ２７は一端辺を盾本体２に取付けられる。自由端側の一角は切欠かれ、この切欠かれた端辺２８をレバー部材１３ａの操作部１６の下面に当接して、レバー部材１３ａの下方への回動を規制する。また、自由端の残部は押込み操作部２９とし、取っ手３の把持位置近傍に臨ませる。
【００５４】
次に、本実施形態の安全装置２０ｅを備えた護身用盾１のスプレーの取扱方法について図１１を参照して説明する。図１１は図１０のＣ矢視図である。
【００５５】
スプレーを噴射する時は、まず板バネ２７の自由端側に形成した押込み操作部２９を盾側に押込んで操作部１６の下面に当接していた端辺２８を取外してレバー部材１３ａの規制を解除した後、操作部１６を押下する。
スプレーを装脱するときは、レバー部材１３ａを上方に回動するだけでよく、スプレー取付ホルダ４にスプレー缶１０を装脱する。
【００５６】
上記のごとく構成した護身用盾１は以下のような効果を奏する。
【００５７】
安全装置２０ｅが作用している状態ではレバー部材１３ａを押下できないため、誤ってスプレーを噴射してしまうことがない。また、安全装置２０ｅの解除操作と操作部１６の押下を一連の動作として行うことができ、暴漢等に即座に対応することができる。
【００５８】
上記した安全装置２０ａ〜２０ｅは、安全装置２０ａ若しくは安全装置２０ｂのいずれかと安全装置２０ｃ乃至安全装置２０ｅのいずれかとをそれぞれ組合せて設けてもよい。
例えば２０ａと２０ｃとを組合せた場合、通常時には板部材２３によって操作部１６を覆うとともに棒部材２１によってレバー部材１６の下方への回動を規制しており、誤ってスプレーを噴射してしまうことがない。また、盾本体２を持上げて構えると安全装置２０ａは解除されるが、安全装置２０ｃは解除されないため、盾本体２を持運ぶ際にも誤ってスプレーを噴射してしまうのを防ぐことができる。
【図面の簡単な説明】
【００５９】
【図１】本発明に係る護身用盾の一実施形態の裏面斜視図。
【図２】本発明に係る護身用盾の裏面を示す図。
【図３】スプレーの固定方法の一実施形態を示す斜視図。
【図４】スプレー噴射機構の第２の実施形態を示す裏面斜視図。
【図５】安全装置の第２の実施形態を示す裏面図。
【図６】安全装置の第３の実施形態を示す裏面図。
【図７】図６のＡ矢視図。
【図８】安全装置の第４の実施形態を示す裏面図。
【図９】図８のＢ矢視図。
【図１０】安全装置の第５の実施形態を示す裏面図。
【図１１】図１０のＣ矢視図。
【符号の説明】
【００６０】
１      護身用盾
２      盾本体
３      取っ手
４      スプレー取付ホルダ
５      ガイド
６      支持具
７      噴射孔
８      警報器
９      マグネットセンサ
１０    スプレー缶
１１    噴射スイッチ
１２    噴射ノズル
１３ａ、１３ｂ  レバー部材
１４    ヒンジ
１５    押圧突起
１６    操作部
１７    差込口
１８    係合片
１９    係合溝
２０ａ〜２０ｅ  安全装置
２１    棒部材
２２    取付金具
２３    板部材
２４    ヒンジ
２５    リミッタ
２６    切欠き
２７    板バネ
２８    端辺
２９    押込み操作部
【図１】
2006207898.tif 000003
【図２】
2006207898.tif 000004
【図３】
2006207898.tif 000005
【図４】
2006207898.tif 000006
【図５】
2006207898.tif 000007
【図６】
2006207898.tif 000008
【図７】
2006207898.tif 000009
【図８】
2006207898.tif 000010
【図９】
2006207898.tif 000011
【図１０】
2006207898.tif 000012
【図１１】
2006207898.tif 000013